(57)【要約】【課題】店側からの預り荷物等の引渡日にユーザの引取り忘れを防止する。【解決手段】物を引渡すための引渡日自動通知システムに、物の引渡データ情報を送信する引渡データ情報送信装置１０１と、引渡データ情報送信装置から引渡データ情報を受信し、受信した引渡データ情報を記憶し、記憶した引渡データ情報に対して当日、翌日及び引渡期間超過の引渡データ情報の検索を一定の開始時間にそれぞれ行い、検索された当日、翌日及び引渡期間超過の引渡データ情報一覧を一定の通知時間にそれぞれ表示する引渡日自動通知装置１１０とを備える。【選択図】図１
2009157418.tif 000002
【特許請求の範囲】
【請求項１】
物を引渡すための引渡日自動通知システムにおいて、
物の引渡データ情報を送信する引渡データ情報送信装置と、
前記引渡データ情報送信装置から引渡データ情報を受信し、受信した引渡データ情報を記憶し、記憶した引渡データ情報に対して当日、翌日及び引渡期間超過の引渡データ情報の検索を一定の開始時間にそれぞれ行い、検索された当日、翌日及び引渡期間超過の引渡データ情報一覧を一定の通知時間にそれぞれ表示する引渡日自動通知装置とを備えることを特徴とする引渡日自動通知システム。
【請求項２】
前記引渡日自動通知装置では、受信された引渡データ情報に含まれる店ＩＤが記憶された引渡データ情報に既に登録されている場合には記憶されている引渡データ情報に受信された引渡データ情報を追加登録し、受信された引渡データ情報に含まれる店ＩＤが記憶された引渡データ情報に未だ登録されていない場合には記憶されている引渡データ情報に受信された引渡データ情報を新規登録することを特徴とする、請求項１に記載する引渡日自動通知システム。
【請求項３】
前記引渡日自動通知装置では、前記引渡データ情報送信装置から削除命令を受信した場合には削除命令に該当する店ＩＤが記憶された引渡データ情報に登録されている場合には記憶されている引渡データ情報から該当する店ＩＤに属する引渡データ情報を削除し、記憶された引渡データ情報から該当する店ＩＤに属する引渡データ情報を削除したあと、該当する店ＩＤに属する引渡データ情報がなくなった場合には店ＩＤを削除することを特徴とする、請求項１に記載の引渡日自動通知システム。
【請求項４】
当日、翌日及び引渡期間超過の引渡データ情報の検索の開始時間として午前１時、正午、午後５時にそれぞれ設定し、検索された当日、翌日及び引渡期間超過の引渡データ情報一覧を表示する通知時間として午前８時、午後３時、午後７時に設定することを特徴とする、請求項１に記載の引渡日自動通知システム。
【請求項５】
前記引渡データ情報送信装置から受信する引渡データ情報には、店ＩＤ、店ＩＤに属する項目ＩＤ、受領日、内容、引渡日時を含むことを特徴とする、請求項１に記載の引渡日自動通知システム。
【請求項６】
物を引渡すための引渡日自動通知方法において、
物の引渡データ情報を送信する工程と、
引渡データ情報を受信する工程と、
受信した引渡データ情報を記憶する工程と、
記憶した引渡データ情報に対して当日、翌日及び引渡期間超過の引渡データ情報の検索を一定の開始時間にそれぞれ行う工程と、
検索された当日、翌日及び引渡期間超過の引渡データ情報一覧を一定の通知時間にそれぞれ表示する工程とを備えることを特徴とする引渡日自動通知方法。
【請求項７】
物を引渡すための引渡日自動通知プログラムにおいて、
物の引渡データ情報を送信する手順と、
引渡データ情報を受信する手順と、
受信した引渡データ情報を記憶する手順と、
記憶した引渡データ情報に対して当日、翌日及び引渡期間超過の引渡データ情報の検索を一定の開始時間にそれぞれ行う手順と、
検索された当日、翌日及び引渡期間超過の引渡データ情報一覧を一定の通知時間にそれぞれ表示する手順とを備えることを特徴とする引渡日自動通知方法。
【請求項８】
物を引渡すための引渡日自動通知を行う携帯端末において、
引渡データ情報を受信する引渡データ受信部と、
受信した引渡データ情報を記憶する引渡データ情報記憶部と、
記憶した引渡データ情報に対して当日、翌日及び引渡期間超過の引渡データ情報の検索を行う一定の開始時間を設定する引渡データ情報検索開始時間設定部と、
検索された当日、翌日及び引渡期間超過の引渡データ情報一覧を表示させる一定の通知時間を設定する引渡データ情報通知時間設定部と、
当日、翌日及び引渡期間超過の引渡データ情報一覧を表示する引渡データ情報表示部と、
受信した引渡データ情報を記憶させた前記引渡データ情報記憶部に対して前記引渡データ情報検索開始時間設定部により設定された開始時間に引渡データ情報の検索を行い、前記引渡データ情報通知時間設定部により設定された通知時間に検索された引渡データ情報を前記引渡データ情報表示部に表示させる引渡データ情報制御部とを備えることを特徴とする携帯端末。
【発明の詳細な説明】
【技術分野】
【０００１】
本発明は預りの荷物等の物引渡方法に関する。特に、本発明は、店側からの預り荷物等の引渡日にユーザの引き取り忘れを防止可能とする引渡日自動通知システム、方法、プログラム及び携帯端末に関する。
【背景技術】
【０００２】
本発明の前提となる預り荷物等の物引渡方法では、店側が引渡可能な時間を指定するため、ユーザが常にその時間を覚えなければならないという問題がある。
また、引渡の際店側から発行された証明類を紛失した場合、引渡できなくなるという問題がある。
さらに、店側からの預り荷物等の引渡日にユーザの引き取り忘れが多発しており、店側には非常にコストがかかるという問題がある。
【０００３】
このような物引渡方法に関連して以下のような従来技術がある。
従来、極めて簡便な操作でリアルタイムに物品引渡し済みの登録処理を行うことができ物品引渡し管理用ＵＲＬアダプタと物品引渡しシステムを提供するため、携帯電話にコネクタを介して装着されるものであり、物品引渡し確認用のウェブページから成る管理モジュールにリンクするためのＵＲＬと、物品の引渡し確認用の固有の識別情報を記憶し、携帯電話に装着されたとき、コネクタを通じて携帯電話を制御して、管理モジュールに対して、識別情報を送出し、このとき、引き渡し済みの情報が登録されるものがある（例えば、特許文献１参照）。
【０００４】
しかしながら、上記特許文献１では、携帯電話を制御して、管理モジュールに対して、引き渡し済みの情報が登録され、物引取際にユーザの携帯端末内の識別情報と店側が保有する識別情報と比較し一致する場合、引渡し作業を行う方法が提示されているが、店側からの預り荷物等の引渡日にユーザの引取り忘れを防止するものではない。
また、従来、衣類のクリーニングの進捗状況を衣類のバーコード毎にＷebサイトで提供するため、ユーザ端末からの集配，配達要求時に、ユーザ別衣類情報データベースに集配，配達依頼のステータスを登録するとともに、集配，配達通知を集配・配達者携帯端末に送信し、衣類の受付時，クリーニング済み衣類の受領時，引渡し時に衣類のバーコードを読取り、前記データベースの該当バーコードのステータスをそれぞれ受付済，完了，引渡済にし、クリーニング工場からの集配時刻になったときに前記データベースの受付済のステータスを洗濯中に変更し、引渡し時にユーザ端末から受信したユーザＩＤに対応して前記データベースに登録されている衣類でステータスが完了となっているバーコードを検索，表示し、ユーザ端末からのステータス閲覧要求受信時に、受信したユーザＩＤ対応のバーコード毎のステータスを抽出しユーザ端末に送信するものもある（例えば、特許文献２参照）。
【０００５】
しかしながら、上記特許文献２では、衣類のクリーニングの進捗状況を衣類のバーコード毎にＷebサイトで提供するが、前述のように、店側からの預り荷物等の引渡日にユーザの引取り忘れを防止するものではない。
また、従来、電子式スケジューラにおいて、予め何等かの準備を必要とするスケジュールの場合には、該スケジュールを要件当日にのみ報知することなく、要件内容に応じた所定日数前に事前に報知することを目的とし、「誕生日」等のキーワードと共に、該キーワードに応じた準備日数を予めＲＯＭに記憶させ、キー入力部によるスケジュールデータ入力の際に、その内容が上記キーワードに関するものである場合には、そのスケジュールの日付と上記キーワード対応の準備日数とに基づき事前通知日を算出し、入力されたスケジュールを上記事前通知日と共にＲＡＭに記憶登録させ、スケジュール表示の際には、上記ＲＡＭに記憶されたスケジュールの日付及び事前通知日の両者を検索対象とし、検索当日に日付が一致するスケジュール及び検索当日に事前通知日が一致するスケジュールが共に表示されるよう構成するものもある（例えば、特許文献３参照）。
【０００６】
しかしながら、上記特許文献３では、検索当日に事前通知日が一致するスケジュールが表示されるが、前述のように、店側からの預り荷物等の引渡日にユーザの引取り忘れを防止するものではない。
また、従来、コストや手間をかけずに取引請求のあった顧客に取引物を安全かつ確実に引渡すため、携帯電話を所有する顧客のうちのいずれかから通信網を介して取引の請求があった場合、業者の所有する情報処理装置は、その顧客の所有する携帯電話の電話番号をメモリに登録し、この後、ある顧客が取引物を受け取るため、例えば取引物引渡し装置の所に携帯電話を持参してきた場合、その携帯電話の電話番号を入力し、メモリに登録しておいた電話番号と一致するか否かを調べ、電話番号が一致したならば、次に、この電話番号に基づき認証のためのキーワードを送信し、顧客が持参してきた携帯電話が当該キーワードを受信するか否かを確認し、キーワードが一致したならば、対応する取引物を出すものもある（例えば、特許文献４参照）。
【０００７】
しかしながら、上記特許文献４では、取引請求のあった顧客に取引物を安全かつ確実に引渡すものであり、引渡前に業者からユーザの携帯端末に呼出し番号を送信し、引き渡しするとき、ユーザが受信した呼び出し番号を業者の専用装置に入力し番号照合を行い、照合一致の場合実際の物引渡を行うが、前述のように、店側からの預り荷物等の引渡日にユーザの引取り忘れを防止するものではない。
【０００８】
【特許文献１】特開２００４−２５０２３０号公報
【特許文献２】特開２００６−１６７２９５号公報
【特許文献３】特開平０５−１５１１６８号公報
【特許文献４】特開平０８−２２１４８２号公報
【発明の開示】
【発明が解決しようとする課題】
【０００９】
したがって、本発明は上記問題点に鑑みて、店側からの預り荷物等の引渡日にユーザの引取り忘れを防止する引渡日自動通知システム、方法、プログラム及び携帯端末を提供することを目的とする。
【課題を解決するための手段】
【００１０】
本発明は前記問題点を解決するために、物を引渡すための引渡日自動通知システムにおいて、物の引渡データ情報を送信する引渡データ情報送信装置と、前記引渡データ情報送信装置から引渡データ情報を受信し、受信した引渡データ情報を記憶し、記憶した引渡データ情報に対して当日、翌日及び引渡期間超過の引渡データ情報の検索を一定の開始時間にそれぞれ行い、検索された当日、翌日及び引渡期間超過の引渡データ情報一覧を一定の通知時間にそれぞれ表示する引渡日自動通知装置とを備えることを特徴とする引渡日自動通知システムを提供する。
【００１１】
さらに、前記引渡日自動通知装置では、受信された引渡データ情報に含まれる店ＩＤが記憶された引渡データ情報に既に登録されている場合には記憶されている引渡データ情報に受信された引渡データ情報を追加登録し、受信された引渡データ情報に含まれる店ＩＤが記憶された引渡データ情報に未だ登録されていない場合には記憶されている引渡データ情報に受信された引渡データ情報を新規登録する。
【００１２】
さらに、前記引渡日自動通知装置では、前記引渡データ情報送信装置から削除命令を受信した場合には削除命令に該当する店ＩＤが記憶された引渡データ情報に登録されている場合には記憶されている引渡データ情報から該当する店ＩＤに属する引渡データ情報を削除し、記憶された引渡データ情報から該当する店ＩＤに属する引渡データ情報を削除したあと、該当する店ＩＤに属する引渡データ情報がなくなった場合には店ＩＤを削除する。
【００１３】
さらに、当日、翌日及び引渡期間超過の引渡データ情報の検索の開始時間として午前１時、正午、午後５時にそれぞれ設定し、検索された当日、翌日及び引渡期間超過の引渡データ情報一覧を表示する通知時間として午前８時、午後３時、午後７時に設定する。
さらに、前記引渡データ情報送信装置から受信する引渡データ情報には、店ＩＤ、店ＩＤに属する項目ＩＤ、受領日、内容、引渡日時を含む。
【００１４】
さらに、本発明は、物を引渡すための引渡日自動通知方法において、物の引渡データ情報を送信する工程と、引渡データ情報を受信する工程と、受信した引渡データ情報を記憶する工程と、記憶した引渡データ情報に対して当日、翌日及び引渡期間超過の引渡データ情報の検索を一定の開始時間にそれぞれ行う工程と、検索された当日、翌日及び引渡期間超過の引渡データ情報一覧を一定の通知時間にそれぞれ表示する工程とを備えることを特徴とする引渡日自動通知方法を提供する。
【００１５】
さらに、本発明は、物を引渡すための引渡日自動通知プログラムにおいて、物の引渡データ情報を送信する手順と、引渡データ情報を受信する手順と、受信した引渡データ情報を記憶する手順と、記憶した引渡データ情報に対して当日、翌日及び引渡期間超過の引渡データ情報の検索を一定の開始時間にそれぞれ行う手順と、検索された当日、翌日及び引渡期間超過の引渡データ情報一覧を一定の通知時間にそれぞれ表示する手順とを備えることを特徴とする引渡日自動通知方法を提供する。
【００１６】
さらに、本発明は、物を引渡すための引渡日自動通知を行う携帯端末において、引渡データ情報を受信する引渡データ受信部と、受信した引渡データ情報を記憶する引渡データ情報記憶部と、記憶した引渡データ情報に対して当日、翌日及び引渡期間超過の引渡データ情報の検索を行う一定の開始時間を設定する引渡データ情報検索開始時間設定部と、検索された当日、翌日及び引渡期間超過の引渡データ情報一覧を表示させる一定の通知時間を設定する引渡データ情報通知時間設定部と、当日、翌日及び引渡期間超過の引渡データ情報一覧を表示する引渡データ情報表示部と、受信した引渡データ情報を記憶させた前記引渡データ情報記憶部に対して前記引渡データ情報検索開始時間設定部により設定された開始時間に引渡データ情報の検索を行い、前記引渡データ情報通知時間設定部により設定された通知時間に検索された引渡データ情報を前記引渡データ情報表示部に表示させる引渡データ情報制御部とを備えることを特徴とする携帯端末を提供する。
【発明の効果】
【００１７】
以上説明したように、本発明によれば、物の引渡データ情報を送信し、引渡データ情報を受信し、受信した引渡データ情報を記憶し、記憶した引渡データ情報に対して当日、翌日及び引渡期間超過の引渡データ情報の検索を一定の開始時間にそれぞれ行い、検索された当日、翌日及び引渡期間超過の引渡データ情報一覧を一定の通知時間にそれぞれ表示するようにしたので、当日及び翌日の引渡データ情報を一括かつ事前にユーザに提示することにより、ユーザが引取りするための事前スケジュール調整が可能になる。
【００１８】
また、引渡情報の登録及び削除は店側で行うことで、ユーザの操作が簡単になる。
さらに、引渡日が一定期間を超過された場合、引取りするよう催促を行うため物の引取り忘れが防止できると期待される。
【発明を実施するための最良の形態】
【００１９】
以下、本発明の実施の形態について図面を参照して説明する。
図１は本発明に係る引渡日自動通知システムの概略構成を示すブロック図である。本図に示すように、引渡日自動通知システム１００には引渡データ情報送信装置１０１と引渡日自動通知装置１１０からなり、店側からユーザーへの物の引渡日を自動的に通知する動作をプログラムで実行する。
【００２０】
引渡デ−タ情報送信装置１０１は店側に設けられ、物の引渡データ情報を送信する。
引渡日自動通知装置１１０はユーザーの携帯端末に設けられ、引渡データ情報送信装置１０１から受信した物の引渡データ情報を保存しユーザーへの引渡日を自動的に通知する。
引渡日自動通知装置１１０には引渡データ情報受信部１１１、引渡データ情報記憶部１１２、引渡データ情報表示部１１３、引渡データ情報検索開始時間設定部１１４、引渡データ情報通知時間設定部１１５及び引渡データ情報制御部１１６が設けられる。
【００２１】
引渡データ情報受信部１１１は引渡データ情報送信装置１０１から引渡データ情報、引渡削除命令を受信する。
引渡データ情報記憶部１１２は、受信された引渡データ情報の記憶、更新を行う。
引渡データ情報表示部１１３は、引渡日の当日、前日及び引渡期間超過データの一覧表示を行う。
【００２２】
引渡データ情報検索開始時間設定部１１４は引渡の当日、前日及び引渡期間超過データの検索開始時間を設定する。例えば、引渡の当日に対しては午前１時からデータ検索を開始し、引渡の前日に対して正午からデータ検索を開始し、引渡期間超過に対して午後５時からデータ検索を開始する。なお、設定された検索開始時間は図示しない記憶部に記憶される。
【００２３】
引渡データ情報通知時間設定部１１５は引渡の当日、前日及び引渡期間超過データ一覧の通知時間を設定する。例えば、引渡の当日の午前８時、引渡の前日の午後３時、引渡期間超過の場合午後７時のようにデータ一覧の通知時間を設定する。なお、設定された通知時間は図示しない記憶部に記憶される。
引渡データ情報制御部１１６は引渡データの登録及び削除時の照合、引渡データ情報の検索の制御を行う。
【００２４】
図２は図１における引渡データ情報記憶部１１２への引渡データ情報登録時のイメージ例を示す図である。本図に示すように、引渡データ情報記憶部１１２には店の記憶領域が設けられ、引渡データ情報受信時に、店の記憶領域の各々には店ＩＤ（識別番号）、さらに、店ＩＤに属する項目ＩＤ、引渡データ情報の受領日、引渡データ情報の内容、引渡日時を含む引渡データ情報が保存され、さらに、引渡データ情報追加保存、引渡データ情報新規保存が行われる。
【００２５】
図３は図１における引渡データ情報記憶部１１２への引渡データ情報削除時のイメージ例を示す図である。本図に示すように、引渡データ情報記憶部１１２では、削除命令に基づき、店の記憶領域に保存された店のＩＤ、さらに、店のＩＤに属する項目ＩＤ、引渡データ情報の受領日、引渡データ情報の内容、引渡日時を含む引渡データ情報の削除が行われる。
【００２６】
図４は図１における引渡データ情報表示部１１３によるデータ一覧表示時のイメージ例を示す図である。引渡データ情報通知時には、引渡データ情報表示部１１３により、本図（ａ）に示すように当日引渡データ一覧が表示され、本図（ｂ）に示すように翌日引渡データ一覧が表示され、本図（ｃ）に示すように引渡期間超過データ一覧が表示される。
図５は図１における引渡データ情報制御部１１６の動作例である引渡データ情報登録時のフローチャートを示す図である。
【００２７】
本図に示すように、ステップＳ２０１において、引渡データ情報制御部１１６では店側の引渡データ情報送信装置１０１から引渡データ情報を受信する引渡データ情報受信部１１１を制御を行う。
ステップＳ２０２において、引渡データ情報制御部１１６では、受信した引渡データ情報から店のＩＤ番号を抽出し、引渡データ情報記憶部１１２に既に登録されたものか否かをチェックする照合を行う。登録されているものでない場合にはステップＳ２０４に進む。
【００２８】
ステップＳ２０３において、既に登録済みの場合には、図２に示すように、引渡データ情報記憶部１１２に対してこの店の記憶領域に引渡データ情報を追加する。
ステップＳ２０４において、既に登録されたものでない場合には、図２に示すように、引渡データ情報記憶部１１２に対して新規引渡データとして登録を行う。
ステップＳ２０５において、情報登録完了として処理を終了する。
【００２９】
図６は図１における引渡データ情報制御部１１６の動作例である登録された引渡データ情報削除時のフローチャートを示す図である。
本図に示すように、ステップＳ２１１において、引渡データ情報制御部１１６では店側の引渡データ情報送信装置１０１から引渡データ情報の削除命令を受信する引渡データ情報受信部１１１の制御を行う。
【００３０】
ステップＳ２１２において、引渡データ情報制御部１１６では、受信した引渡データ情報の削除命令から店ＩＤ、項目ＩＤを抽出し、引渡データ情報記憶部１１２に抽出した店ＩＤと同じ店ＩＤが存在するか否かをチェックする照合を行う。存在しない場合にはステップＳ２１５に進む。
ステップＳ２１３において、同じ店ＩＤが存在する場合には抽出された項目ＩＤと同じ項目ＩＤが存在するか否かをチェックする照合を行う。同じ項目ＩＤが存在しない照合ＮＧの場合にはステップＳ２１５に進む。
【００３１】
ステップＳ２１４において、同じ項目ＩＤが存在する照合ＯＫの場合には、図３に示すように、引渡データ情報記憶部１１２から同じ項目ＩＤに該当する引渡データ情報を削除する。なお、引渡データ情報を削除したあと、引渡データ情報記憶部１１２の記憶領域内の店ＩＤの引渡データ情報が「０」、すなわち、なしになった場合は、この店のＩＤを削除する。本処理を終了する。
ステップＳ２１５において、本処理を終了する。
【００３２】
図７は図１における引渡データ情報制御部１１６の動作例である当日の引渡データ情報一覧の通知を行うフローチャートである。本図に示すように、ステップＳ２２１において、引渡データ情報制御部１１６では引渡データ情報検索開始時間設定部１１４によりユーザが設定した当日の引渡データ情報の検索開始時間からデータ検索を開始する制御を行う。例えば、ユーザが当日の引渡データ情報の検索開始時間を午前１時に設定した場合、当日の午前１時から引渡データ情報の検索を開始する。
【００３３】
ステップＳ２２２において、引渡データ情報制御部１１６では引渡データ情報記憶部１１２に対して店ＩＤが存在するか否かをチェックする照合を行う。店ＩＤが存在しない場合には処理を終了する。
ステップＳ２２３において、店ＩＤが存在する場合にはこの店の領域内に登録された引渡データ情報から引渡日を取り出す。
【００３４】
ステップＳ２２４において、引渡データ情報制御部１１６では取り出した引渡日と当日の日付と比較する。一致しない場合にはステップＳ２２６に進む。
ステップＳ２２５において、一致する場合には該当引渡データ情報を図示しない記憶部に記憶する。
ステップＳ２２６において、全ての引渡日と比較したか否かをチェックする。この店の情報のチェックが未だ残っている場合にはステップＳ２２３に戻る。
【００３５】
ステップＳ２２７において、この店の情報がチェック完了した後、次の店ＩＤがあるか否かをチェックする。全ての引渡データ情報のチェックが完了するまでステップＳ２２３に戻り、上記ステップを繰り返す。
ステップＳ２２８において、引渡データ情報制御部１１６では、次の店ＩＤがない場合には、記憶された引渡データ情報から最終的には当日の引渡データ情報一覧を作成する。
【００３６】
ステップＳ２２９において、引渡データ情報制御部１１６では、引渡データ情報通知時間設定部１１５により設定された引渡データ情報一覧の通知時間を経過したか否かをチェックする。
ステップＳ２３０において、通知時間になったとき、引渡データ情報制御部１１６では、引渡データ情報一覧を自動的に表示する引渡データ情報表示部１１３を制御する。ここでは、例えば、午前８時に設定された場合には、図４(ａ)に示すように、当日引渡データ情報一覧が表示される。
【００３７】
ステップＳ２３１において、引渡データ情報制御部１１６では、一覧表示解除の指示があったか否かをチェックする。
ステップＳ２３２において、引渡データ情報制御部１１６では一覧表示解除の指示があった場合には一覧表示を停止する引渡データ情報表示部１１３を制御し、処理を終了する。
【００３８】
図８は図１における引渡データ情報制御部１１６の動作例である翌日の引渡データ情報一覧の通知を行うフローチャートである。本図に示すように、ステップＳ２４１において、引渡データ情報制御部１１６では引渡データ情報検索開始時間設定部１１４によりユーザが設定した翌日の引渡データ情報の検索開始時間からデータ検索を開始する制御を行う。例えば、ユーザが翌日の引渡データ情報の検索開始時間を正午に設定した場合、当日の正午から引渡データ情報の検索を開始する。
【００３９】
ステップＳ２４２において、引渡データ情報制御部１１６では引渡データ情報記憶部１１２に対して店ＩＤが存在するか否かをチェックする照合を行う。店ＩＤが存在しない場合には処理を終了する。
ステップＳ２４３において、店ＩＤが存在する場合にはこの店の領域内に登録された引渡データ情報から引渡日を取り出す。
【００４０】
ステップＳ２４４において、引渡データ情報制御部１１６では取り出した引渡日と翌日の日付と比較する。一致しない場合にはステップＳ２４６に進む。
ステップＳ２４５において、一致する場合には該当引渡データ情報を図示しない記憶部に記憶する。
ステップＳ２４６において、全ての引渡日と比較したか否かをチェックする。この店の情報のチェックが未だ残っている場合にはステップＳ２４３に戻る。
【００４１】
ステップＳ２４７において、この店の情報がチェック完了した後、次の店ＩＤがあるか否かをチェックする。全ての引渡データ情報のチェックが完了するまでステップＳ２４３に戻り、上記ステップを繰り返す。
ステップＳ２４８において、引渡データ情報制御部１１６では、次の店ＩＤがない場合には、記憶された引渡データ情報から最終的には当日の引渡データ情報一覧を作成する。
【００４２】
ステップＳ２４９において、引渡データ情報制御部１１６では、引渡データ情報通知時間設定部１１５により設定された引渡データ情報一覧の通知時間を経過したか否かをチェックする。
ステップＳ２５０において、通知時間になったとき、引渡データ情報制御部１１６では、引渡データ情報一覧を自動的に表示する引渡データ情報表示部１１３を制御する。ここでは、例えば、午後３時に設定された場合には、図４(ｂ)に示すように、翌日の引渡データ情報一覧が表示される。
【００４３】
ステップＳ２５１において、引渡データ情報制御部１１６では、一覧表示解除の指示があったか否かをチェックする。
ステップＳ２５２において、引渡データ情報制御部１１６では一覧表示解除の指示があった場合には一覧表示を停止する引渡データ情報表示部１１３を制御し、処理を終了する。
【００４４】
図９は図１における引渡データ情報制御部１１６の動作例である引渡期間超過の引渡データ情報一覧の通知を行うフローチャートである。本図に示すように、ステップＳ２６１において、引渡データ情報制御部１１６では引渡データ情報検索開始時間設定部１１４によりユーザが設定した引渡期間超過の引渡データ情報の検索開始時間からデータ検索を開始する制御を行う。例えば、ユーザが引渡期間超過の引渡データ情報の検索開始時間を午後５時に設定した場合、当日の午後５時から引渡データ情報の検索を開始する。
【００４５】
ステップＳ２６２において、引渡データ情報制御部１１６では引渡データ情報記憶部１１２に対して店ＩＤが存在するか否かをチェックする照合を行う。店ＩＤが存在しない場合には処理を終了する。
ステップＳ２６３において、店ＩＤが存在する場合にはこの店の領域内に登録された引渡データ情報から引渡日を取り出す。
【００４６】
ステップＳ２６４において、引渡データ情報制御部１１６では取り出した引渡日と当日の日付と比較する。一定期間を過ぎていない場合にはステップＳ２４６に進む。
ステップＳ２６５において、一定期間を過ぎている場合には該当引渡データ情報を図示しない記憶部に記憶する。
ステップＳ２６６において、全ての引渡日と比較したか否かをチェックする。この店の情報のチェックが未だ残っている場合にはステップＳ２４３に戻る。
【００４７】
ステップＳ２６７において、この店の情報がチェック完了した後、次の店ＩＤがあるか否かをチェックする。全ての引渡データ情報のチェックが完了するまでステップＳ２６３に戻り、上記ステップを繰り返す。
ステップＳ２６８において、引渡データ情報制御部１１６では、次の店ＩＤがない場合には、記憶された引渡データ情報から最終的には引渡期間超過の引渡データ情報一覧を作成する。
【００４８】
ステップＳ２６９において、引渡データ情報制御部１１６では、引渡データ情報通知時間設定部１１５により設定された引渡データ情報一覧の通知時間を経過したか否かをチェックする。
ステップＳ２７０において、通知時間になったとき、引渡データ情報制御部１１６では、引渡データ情報一覧を自動的に表示する引渡データ情報表示部１１３を制御する。ここでは、例えば、午後７時に設定された場合には、図４(ｃ)に示すように、引渡期間超過の引渡データ情報一覧が表示される。
【００４９】
ステップＳ２７１において、引渡データ情報制御部１１６では、一覧表示解除の指示があったか否かをチェックする。
ステップＳ２７２において、引渡データ情報制御部１１６では一覧表示解除の指示があった場合には一覧表示を停止する引渡データ情報表示部１１３を制御し、処理を終了する。
【００５０】
以上説明したように、本発明によれば、当日及び翌日の引渡データ情報を一括かつ事前にユーザに提示することにより、ユーザが引取りするための事前スケジュール調整が可能になる。
また、引渡情報の登録及び削除は店側で行うことで、ユーザの操作が簡単になる。
【００５１】
さらに、引渡日が一定期間を超過された場合、引取りするよう催促を行うため物の引取り忘れが防止できると期待される。
【産業上の利用可能性】
【００５２】
以上、携帯端末について説明したが、携帯電話機、ＰＤＡ（携帯情報端末）、ＰＨＳ（簡易型携帯電話機）等の移動機など通話・通信機能が搭載した装置に対して本発明の利用が可能である。
【図面の簡単な説明】
【００５３】
【図１】本発明に係る引渡日自動通知システムの概略構成を示すブロック図である。
【図２】図１における引渡データ情報記憶部１１２への引渡データ情報登録時のイメージ例を示す図である。
【図３】図１における引渡データ情報記憶部１１２への引渡データ情報削除時のイメージ例を示す図である。
【図４】図１における引渡データ情報表示部１１３によるデータ一覧表示時のイメージ例を示す図である。
【図５】図１における引渡データ情報制御部１１６の動作例である引渡データ情報登録時のフローチャートを示す図である。
【図６】図１における引渡データ情報制御部１１６の動作例である登録された引渡データ情報削除時のフローチャートを示す図である。
【図７】図１における引渡データ情報制御部１１６の動作例である当日の引渡データ情報一覧の通知を行うフローチャートである。
【図８】図１における引渡データ情報制御部１１６の動作例である翌日の引渡データ情報一覧の通知を行うフローチャートである。
【図９】図１における引渡データ情報制御部１１６の動作例である引渡期間超過の引渡データ情報一覧の通知を行うフローチャートである。
【符号の説明】
【００５４】
１００…引渡日自動通知システム
１０１…引渡データ情報送信装置
１１０…引渡日自動通知装置
１１１…引渡データ情報受信部
１１２…引渡データ情報記憶部
１１３…引渡データ情報表示部
１１４…引渡データ情報検索開始時間設定部
１１５…引渡データ情報通知時間設定部
１１６…引渡データ情報制御部
【図１】
2009157418.tif 000003
【図２】
2009157418.tif 000004
【図３】
2009157418.tif 000005
【図４】
2009157418.tif 000006
【図５】
2009157418.tif 000007
【図６】
2009157418.tif 000008
【図７】
2009157418.tif 000009
【図８】
2009157418.tif 000010
【図９】
2009157418.tif 000011